(57)【特許請求の範囲】
【請求項１】
便器の上面に便器の上面全面を覆うように天面梱包材を載置すると共に便器の上下に梱包バンドを巻回した便器の梱包構造であって、天面梱包材は１枚の段ボール紙の素材を折り曲げて上面板部と下面板部とを一体に有する２枚重ねの構造とし、この天面梱包材の上面板部の端縁に便器の側面から側方に突出する突出部を設けると共にこの天面梱包材の下面板部の端縁に便器の側面に沿わせて折り曲げた側面覆い片を設け、天面梱包材の上面板部の端縁に設けた切り欠きに梱包バンドを通して成ることを特徴とする便器の梱包構造。
【請求項２】
天面梱包材の裏面に、便器のボウル部のリム部の内周に当たる突起部を設けたことを特徴とする請求項１記載の便器の梱包構造。
【請求項３】
便器後部に設けた凸部が挿通される穴部を天面梱包材に設けたことを特徴とする請求項１または請求項２に記載の便器の梱包構造。
【請求項４】
突起部は折り曲げにより２枚重ねの構造にしたことを特徴とする請求項２記載の便器の梱包構造。
【発明の詳細な説明】
【０００１】
【発明の属する技術分野】
本発明は洋式の水洗便器よりなる便器を出荷するとき梱包する構造に関するものである。
【０００２】
【従来の技術】
従来、洋式の水洗便器よりなる便器１を梱包する場合、図９に示すように上面を開口せる浅い箱状の底面梱包材３′の上に便器１の下端を載せ、下面を開口せる浅い箱状の上面梱包材３′を便器１の上面に被嵌し、ポリプロピレンバンドのような梱包バンド４を便器１の上下に巻回して梱包していた。
【０００３】
【発明が解決しようとする課題】
ところが、上記の梱包した便器１を取り扱うとき転倒するおそれがあるが、便器１の上端の外周には段ボール紙１枚で覆っているだけのため、図１０に示すように転倒したとき便器１の上端の外周にかかる衝撃を殆ど緩和できず、陶器で形成せる便器１の上部が破損するおそれがある。また転倒で破損する部分が段ボールで覆われているために上記破損を外観から確認できず、顧客が梱包を開いた時に商品の破損が発覚することが起こり、施工が予定どおり行えないなどの問題が生じることもあった。
【０００４】
本発明は上記の点に鑑みてなされたものであり、露出部分が多い梱包でも転倒したとき破損するおそれがなく、また万一破損が発生した場合でも出荷前に発見することが容易で顧客に迷惑をかけることがなく、また全面を覆うものに比べて梱包部材も安価で梱包も容易な便器の梱包構造を提供することを課題とするものである。
【０００５】
【課題を解決するための手段】
上記課題を解決するための本発明の請求項１の便器の梱包構造は、便器１の上面に便器１の上面全面を覆うように天面梱包材２を載置すると共に便器１の上下に梱包バンド４を巻回した便器の梱包構造であって、天面梱包材２は１枚の段ボール紙の素材Ａを折り曲げて上面板部２ａと下面板部２ｂとを一体に有する２枚重ねの構造とし、この天面梱包材２の上面板部２ａの端縁に便器１の側面から側方に突出する突出部５を設けると共にこの天面梱包材２の下面板部２ｂの端縁に便器１の側面に沿わせて折り曲げた側面覆い片１０を設け、天面梱包材２の上面板部２ａの端縁に設けた切り欠き６に梱包バンド４を通して成ることを特徴とする。天面梱包材２の端縁の突出部５が便器１の側面より外方に突出するように設けてあることにより、便器１が転倒しても突出部５が当たって突出部５で便器１の上端の外周に当たる衝撃を緩衝できて便器１が破損するのを防止できる。また便器１の上部の側面が見えて便器１が破損した場合でも容易に発見できて顧客に迷惑をかけることがない。また全面を覆うものに比べて梱包材料も安価で梱包も容易である。また端縁に転倒時の衝撃を緩和する突出部５を設けたものでも便器１の上面の側面を覆って便器１の側面が傷付くのを防止できる。
【０００６】
また本発明の請求項２の便器の梱包構造は、請求項１において、天面梱包材２の裏面に、便器１のボウル部９のリム部７の内周に当たる突起部８を設けたことを特徴とする。天面梱包材２の突起部８をリム部７の内周に当てることにより天面梱包材２を位置決めでき、天面梱包材２を所定位置に位置決めして取り付けることができる。
【０００８】
また本発明の請求項３の便器の梱包構造は、請求項１または請求項２において、便器１後部に設けた凸部１１が挿通される穴部１２を天面梱包材２に設けたことを特徴とする。凸部１１を穴部１２に挿通したことにより凸部１１に邪魔されることなく梱包でき、また天面梱包材２を位置決めして取り付けることができる。
【０００９】
また本発明の請求項４の便器の梱包構造は、請求項２において、突起部８は折り曲げにより２枚重ねの構造にしたことを特徴とする。突起部８の強度を強くできる。
【００１０】
【発明の実施の形態】
以下、本発明の実施の形態を説明する。
【００１１】
洋式の水洗便器のような便器１の上面を覆う天面梱包材２は図５に示すような展開図のような形状に段ボール紙の素材Ａから形成されるものである。この素材Ａは第１面部１５、第２面部１６、第３面部１７及び第４面部１８と、第２面部１６と第３面部１７との間の一対の連結面部１９とで形成されている。第１面部１６と第２面部１６との間が折り曲げ線ａとなり、第２面部１６と一方の連結面部１９との間が折り曲げ線ｂとなり、一対の連結面部１９間が折り曲げ線ｃとなり、他方の連結面部１９と第３面部１７との間が折り曲げ線ｄとなり、第３面部１７と第４面部１８との間が折り曲げ線ｅとなっている。また第１面部１５、第３面部１７及び第４面部１８には切り欠き６を設けてあり、第１面部１５には細長い開口２０を設けてあり、一対連結面部１９間には開口２１を設けてあり、第４面部１８には一対の穴部１２を設けてある。第１面部１５及び第４面部１８には折り曲げ線ｆを介して側面覆い片１０を設けてある。第１面部１５と第２面部１６との間、第３面部１７と第４面部１８との間には切り起こし片２２を設けてある。
【００１２】
このように形成せる天面梱包材２の素材Ａは折り曲げ線ｃで二つ折りされ、図６に示すように第３面部１７及び第４面部１８の上に第１面部１５及び第２面部１６が重ねられる。このように素材Ａを二つ折りした状態で保管したりされるので保管等に場所をとらない。また天面梱包材２を組み立てる場合次のように行われる。上記のように二つ折りしたとき重ね合わせた連結面部１９同士はステッチのような固着具２３にて止められ、この連結面部１９同士を重ねた部分が突起部８となる。そして図７に示すように折り曲げ線ｂ，ｄで突起部８に対して第２面部１６及び第３面部１７が直角になるように曲げられ、折り曲げ線ａで第１面部１５が第２面部１６に重ねられるように折り曲げられると共に開口部２０に突起部８が相通され、折り曲げ線ｅで第４面部１８が第３面部１７に重ねられるように折り曲げられ、折り曲げ線ｆで側面覆い片１０が直角に折り曲げられる。切り起こし片２２が切り起こされて切り欠き６が形成される。このようにして図８に示すように天面梱包材２が組み立てられ、第２面部１６と第３面部１７が上面板部２ａを構成し、第１面部１５と第４面部１８とが下面板部２ｂを構成する。この上面板部２ａの外周は便器１の外周より外に突出する突出部５となり、突起部８が下面側に突出し、下面板部２ｂに穴部１２が位置し、下面板部２ｂに側面覆い片１０が設けられる。
【００１３】
上記のような天面梱包材２を用いて便器１を梱包する場合、次のように行われる。先ず、図２（ａ）のように組み立てた底面梱包材３の上に図２（ｂ）に示すように底面パッド２４を入れ、図２（ｃ）に示すように底面パッド２４の上に便器１を載せ、便器１のボウル部９内に説明書の入った部品箱２５を入れ、必要に応じてポリ袋を被せる。そして上記のように組み立てた天面梱包材２を図２（ｄ）（ｅ）に示すように便器１の上面に被せる。このとき、突起部８を図３に示すようにボウル部９内に挿入すると共に突起部８をリム部７の内周に当接して天面梱包材２の位置決めをする。また便器１の上面の後部に設けた凸部１１を穴部１２に挿通する。なお、この凸部１１は便器１の上にロータンクを設置するとき、ロータンクの下面が載るものであり、ロータンクの下面と便器１の上面との間に隙間を形成するためのものである。上記のように天面梱包材２をセットした状態でポリプロピレンバンドのような梱包バンド４を上下に巻回して図２（ｆ）、図１に示すように梱包する。本例の場合、梱包バンド４を３本掛けしてある。また梱包バンド４をかけるとき切り欠き６に梱包バンド４を挿通する。
【００１４】
上記のように梱包されるが、天面梱包材２の上面板部２ａの外周の突出部５が便器１のリム部７の外周より突出しているため、便器１が図４に示すように転倒しても床面２６等に突出部５が当たり、便器１の上端の外周に衝撃がかかるのが緩和され、便器１が破損するおそれがない。天面梱包材２をセットするとき突起部８がボウル部９内に挿入されて突起部８がリム部７の内周に当接されて天面梱包材２が位置決めされ、突出部５の突出量を左右均等にして適切な状態を保つことができる。このとき突起部８が２重に重ねた構造になっているために強固にできる。また天面梱包材２は上面板部２ａと下面板部２ｂとの２重構造となり、上面板部２ａに突出部５を設けると共に下面板部２ｂに側面覆い片１０を設けてあるために転倒に対する強度を保ったまま便器１の上端の側面を側面覆い片１０にて覆うことができて便器１の側面が傷付くの防止できる。このとき側面覆い片１０は折り曲げで沿わせてあるだけのために梱包状態でも側面覆い片１０をめくって便器１の側面を見ることができ、側面覆い片１０で覆うものでも便器１の破損の有無を容易に確認できる。また天面梱包材２をセットしたとき凸部１１が穴部１２に挿通され、天面梱包材２の位置決めがされると共に凸部１１が邪魔にならないように梱包できる。また天面梱包材２を組み立てるときステッチ止めと折り曲げだけで上記のように組み立てることができて組み立てが容易にできる。また上記のように天面梱包材２と底面梱包材３にて簡易に梱包できるために便器１全体を梱包するのに比べて梱包材料を少なくして安価に梱包できる。
【００１５】
【発明の効果】
本発明の請求項１の発明は、便器の上面に便器の上面全面を覆うように天面梱包材を載置すると共に便器の上下に梱包バンドを巻回した便器の梱包構造であって、天面梱包材は１枚の段ボール紙の素材を折り曲げて上面板部と下面板部とを一体に有する２枚重ねの構造とし、この天面梱包材の上面板部の端縁に便器の側面から側方に突出する突出部を設けると共にこの天面梱包材の下面板部の端縁に便器の側面に沿わせて折り曲げた側面覆い片を設け、天面梱包材の上面板部の端縁に設けた切り欠きに梱包バンドを通しているので、便器が転倒しても突出部が当たって突出部で便器の上端の外周に当たる衝撃を緩衝できて便器が破損するのを防止できるものであり、また便器の上部の側面が見えて便器が破損した場合でも容易に発見できて顧客に迷惑をかけることがないものであり、また全面を覆うものに比べて梱包材料も安価で梱包も容易であり、さらに端縁に転倒時の衝撃を緩和する突出部を設けたものでも便器の上面の側面を覆って便器の側面が傷付くのを防止できるものである。
【００１６】
また本発明の請求項２の発明は、請求項１において、天面梱包材の裏面に、便器のボウル部のリム部の内周に当たる突起部を設けたので、天面梱包材の突起部をリム部の内周に当てることにより天面梱包材を位置決めでき、天面梱包材を所定位置に位置決めして取り付けることができるものである。
【００１８】
また本発明の請求項３の発明は、請求項１または請求項２において、便器後部に設けた凸部が挿通される穴部を天面梱包材に設けたので、凸部を穴部に挿通して凸部に邪魔されることなく梱包でき、また天面梱包材を位置決めして取り付けることができるものである。
【００１９】
また本発明の請求項４の発明は、請求項２において、突起部は折り曲げにより２枚重ねの構造にしたので、突起部の強度を強くできるものである。
【図面の簡単な説明】
【図１】本発明の実施の形態の一例を示し、（ａ）は概略斜視図、（ｂ）は一部切欠概略側面図である。
【図２】（ａ）（ｂ）（ｃ）（ｄ）（ｅ）（ｆ）は梱包手順を説明する斜視図である。
【図３】同上の便器に天面梱包材をセットした状態の断面図である。
【図４】便器の転倒した状態を説明する説明図である。
【図５】同上の天面梱包材の素材の展開図である。
【図６】同上の素材を二つ折りした状態であり、（ａ）は斜視図、（ｂ）は平面図である。
【図７】同上の天面梱包材を組み立てる途中の斜視図である。
【図８】同上の天面梱包材を組み立てた状態を示し、（ａ）は平面図、（ｂ）は正面図である。
【図９】従来例を示し、（ａ）は斜視図、（ｂ）は一部切欠側面図である。
【図１０】従来の転倒した状態を説明する説明図である。
【符号の説明】
１  便器
２  天面梱包材
２ａ  上面板部
２ｂ  下面板部
４  梱包バンド
５  突出部
６  切り欠き
７  リム部
８  突起部
９  ボウル部
１０  側面覆い片
１１  凸部
１２  穴部
【図１】
0003854428.tif 000002
【図２】
0003854428.tif 000003
【図３】
0003854428.tif 000004
【図４】
0003854428.tif 000005
【図５】
0003854428.tif 000006
【図６】
0003854428.tif 000007
【図７】
0003854428.tif 000008
【図８】
0003854428.tif 000009
【図９】
0003854428.tif 000010
【図１０】
0003854428.tif 000011